(57)【要約】      （修正有）【課題】「Ｉｎｔｅｒ-ｅＮＢ  ＣＡ」が行われる場合、送信信号の種別に基づき、適切な運用を行う。【解決手段】移動局ＵＥは、送信すべき信号を生成するように構成されている生成部１１と、かかる信号の種別に基づいて、かかる信号の送信先の無線基地局ｅＮＢを変更するように構成されている判定部１２とを具備する。【選択図】図２
2014165732.tif 000002
【特許請求の範囲】
【請求項１】
送信すべき信号を生成するように構成されている生成部と、
前記信号の種別に基づいて、該信号の送信先の無線基地局を変更するように構成されている判定部とを具備することを特徴とする移動局。
【請求項２】
前記判定部は、ユーザデータ信号の送信先の無線基地局と制御信号の送信先の無線基地局とを別にするように構成されていることを特徴とする請求項１に記載の移動局。
【請求項３】
前記判定部は、前記制御信号の種別に基づいて、該制御信号の送信先の無線基地局を変更するように構成されていることを特徴とする請求項２に記載の移動局。
【請求項４】
前記判定部は、ＭＡＣサブヘッダ内のＬＣＩＤに基づいて、前記信号の種別を判定するように構成されていることを特徴とする請求項１乃至３のいずれか一項に記載の移動局。
【請求項５】
前記判定部は、ＲＬＣ-ＰＤＵの１ビット目のＤ/Ｃフィールドに基づいて、前記信号の種別を判定するように構成されていることを特徴とする請求項１乃至３のいずれか一項に記載の移動局。
【請求項６】
前記判定部は、ＰＤＣＰ-ＰＤＵの１ビット目のＤ/Ｃフィールドに基づいて、前記信号の種別を判定するように構成されていることを特徴とする請求項１乃至３のいずれか一項に記載の移動局。
【請求項７】
前記判定部は、無線基地局からの指示に応じて、各信号の送信先の無線基地局を決定するように構成されていることを特徴とする請求項１に記載の移動局。
【請求項８】
前記判定部は、特定の信号についての前記指示がない場合、該特定の信号の送信先の無線基地局を特定の無線基地局と決定するように構成されていることを特徴とする請求項７に記載の移動局。
【請求項９】
前記判定部は、現在設定されている設定が解放される場合には、前記信号の送信先の無線基地局を特定の無線基地局と決定するように構成されていることを特徴とする請求項１乃至８のいずれか一項に記載の移動局。
【請求項１０】
無線基地局に対して、前記移動局において前記信号の送信先の無線基地局として設定可能な無線基地局の数を通知するように構成されている送信部を具備することを特徴とする請求項１乃至９のいずれか一項に記載の移動局。
【請求項１１】
第１無線基地局及び第２無線基地局を具備する移動通信システムであって、
前記第１無線基地局は、マクロセルを管理するように構成されており、
前記第２無線基地局は、スモールセルを管理するように構成されており、
下りリンクにおいて、前記第１無線基地局は、移動局に対して、ユーザデータ信号を送信するように構成されており、
上りリンクにおいて、前記移動局は、前記第２無線基地局に対して、ユーザデータ信号を送信するように構成されており、
前記下りリンクにおける前記ユーザデータ信号に対する送達確認信号は、前記移動局から前記第１無線基地局に対して送信されるように構成されており、
前記上りリンクにおける前記ユーザデータ信号に対する送達確認信号は、前記第２無線基地局から前記移動局に対して送信されるように構成されていることを特徴とする移動通信システム。
【発明の詳細な説明】
【技術分野】
【０００１】
本発明は、移動局及び移動通信システムに関する。
【背景技術】
【０００２】
ＬＴＥ（Ｌｏｎｇ  Ｔｅｒｍ  Ｅｖｏｌｕｔｉｏｎ）方式のＲｅｌｅａｓｅ-１０において、２０ＭＨｚを超える広帯域通信（例えば、１００Ｈｚの通信）を実現するために、同一の無線基地局ｅＮＢ配下の複数のＣＣ（Ｃｏｍｐｏｎｅｎｔ  Ｃａｒｒｉｅｒ：コンポーネントキャリア）を束ねて通信を行うＣＡ（Ｃａｒｒｉｅｒ  Ａｇｇｒｅｇａｔｉｏｎ：キャリアアグリゲーション）、すなわち、「Ｉｎｔｒａ-ｅＮＢ  ＣＡ」が導入された。
【０００３】
その後、ＬＴＥ方式のＲｅｌｅａｓｅ-１２以降で、「Ｓｍａｌｌ  Ｃｅｌｌ  ｅｎｈａｎｃｅｍｅｎｔ」が提案され、従来よりも更に柔軟なネットワークアーキテクチャの１つとして、異なる無線基地局ｅＮＢ配下のＣＣ（セル）を束ねて通信を行う「Ｉｎｔｅｒ-ｅＮＢ  ＣＡ」の導入が検討されている。
【０００４】
例えば、「Ｉｎｔｅｒ-ｅＮＢ  ＣＡ」を用いて、信頼性の必要な制御信号（Ｃ-ｐｌａｎｅ信号）については、ＳＲＢ（Ｓｉｇｎａｌｉｎｇ  Ｒａｄｉｏ  Ｂｅａｒｅｒ）を介して無線基地局ｅＮＢ＃１配下のセル＃１（マクロセル）で通信を行い、広帯域通信の必要なユーザデータ信号（Ｕ-ｐｌａｎｅ信号）については、ＤＲＢ（Ｄａｔａ  Ｒａｄｉｏ  Ｂｅａｒｅｒ）を介して無線基地局ｅＮＢ＃１１配下のセル＃１１（スモールセル）で通信を行うといった運用も考えられる。
【先行技術文献】
【非特許文献】
【０００５】
【非特許文献１】３ＧＰＰ  ＴＳ３６.３００
【発明の概要】
【発明が解決しようとする課題】
【０００６】
しかしながら、現時点では、「Ｉｎｔｅｒ-ｅＮＢ  ＣＡ」が行われる場合に、どのような運用を行うシナリオが適切であるかについて検討されておらず、また、かかるシナリオを実現するための移動局ＵＥの要求仕様についても検討されていないという問題点があった。
【０００７】
そこで、本発明は、上述の課題に鑑みてなされたものであり、「Ｉｎｔｅｒ-ｅＮＢ  ＣＡ」が行われる場合の適切な運用を行うことができる移動局及び移動通信システムを提供することを目的とする。
【課題を解決するための手段】
【０００８】
本発明の第１の特徴は、移動局であって、送信すべき信号を生成するように構成されている生成部と、前記信号の種別に基づいて、該信号の送信先の無線基地局を変更するように構成されている判定部とを具備することを要旨とする。
【０００９】
本発明の第２の特徴は、第１無線基地局及び第２無線基地局を具備する移動通信システムであって、前記第１無線基地局は、マクロセルを管理するように構成されており、前記第２無線基地局は、スモールセルを管理するように構成されており、下りリンクにおいて、前記第１無線基地局は、移動局に対して、ユーザデータ信号を送信するように構成されており、上りリンクにおいて、前記移動局は、前記第２無線基地局に対して、ユーザデータ信号を送信するように構成されており、前記下りリンクにおける前記ユーザデータ信号に対する送達確認信号は、前記移動局から前記第１無線基地局に対して送信されるように構成されており、前記上りリンクにおける前記ユーザデータ信号に対する送達確認信号は、前記第２無線基地局から前記移動局に対して送信されるように構成されていることを要旨とする。
【発明の効果】
【００１０】
以上説明したように、本発明によれば、「Ｉｎｔｅｒ-ｅＮＢ  ＣＡ」が行われる場合の適切な運用を行うことができる移動局及び移動通信システムを提供することができる。
【図面の簡単な説明】
【００１１】
【図１】本発明の第１の実施形態に係る移動通信システムの全体構成図である。
【図２】本発明の第１の実施形態に係る移動局の機能ブロック図である。
【図３】本発明の第１の実施形態に係る移動局によって行われる信号の送信先についての判定方法について説明するための図である。
【図４】本発明の第１の実施形態に係る移動局によって行われる信号の送信先についての判定方法について説明するための図である。
【図５】本発明の第１の実施形態に係る移動局によって行われる信号の送信先についての判定方法について説明するための図である。
【図６】本発明の第１の実施形態に係る移動局の動作を示すフローチャートである。
【図７】本発明の変更例１に係る移動通信システムの全体構成図である。
【発明を実施するための形態】
【００１２】
（本発明の第１の実施形態に係る移動通信システム）
図１乃至図６を参照して、本発明の第１の実施形態に係る移動通信システムについて説明する。
【００１３】
図１に示すように、本実施形態に係る移動通信システムは、セル＃１を管理する無線基地局ｅＮＢ＃１と、セル＃１１を管理する無線基地局ｅＮＢ＃１１とを具備している。
【００１４】
ここで、セル＃１１は、スモールセル（ファントムセル）であり、セル＃１は、マクロセルである。なお、セル＃１１のカバレッジエリアと、セル＃１のカバレッジエリアのカバレッジエリアとは、少なくとも一部で重なるように配置されている。
【００１５】
なお、無線基地局ｅＮＢ＃１は、マクロ無線基地局（Ｍａｃｒｏ-ｅＮＢ）と呼ばれてもよく、無線基地局ｅＮＢ＃１１は、スモール無線基地局（Ｓｍａｌｌ-ｅＮＢ）やファントム無線基地局（Ｐｈａｎｔｏｍ-ｅＮＢ）と呼ばれてもよい。
【００１６】
また、本実施形態に係る移動通信システムは、ＬＴＥ方式の移動通信システムであって、かかる本実施形態に係る移動通信システムにおいて、移動局ＵＥは、「Ｉｎｔｅｒ-ｅＮＢ  ＣＡ」を行うことができるように構成されている。
【００１７】
なお、本実施形態に係る移動通信システムでは、移動局ＵＥは、無線基地局ｅＮＢ＃１配下のセル＃１及び無線基地局ｅＮＢ＃１１配下のセル＃１１を介して「Ｉｎｔｅｒ-ｅＮＢ  ＣＡ」を行っているものとする。
【００１８】
図２に示すように、本実施形態に係る移動局ＵＥは、生成部１１と、判定部１２と、送信部１３とを具備している。
【００１９】
生成部１１は、移動局ＵＥによって送信すべき信号（ユーザデータ信号及び制御信号）を生成するように構成されている。
【００２０】
判定部１２は、生成部１１によって生成された信号の送信先の無線基地局ｅＮＢを決定するように構成されている。
【００２１】
ここで、判定部１２は、生成部１１によって生成された信号の種別に基づいて、かかる信号の送信先の無線基地局ｅＮＢを変更するように構成されている。
【００２２】
具体的には、判定部１２は、ユーザデータ信号の送信先の無線基地局ｅＮＢと制御信号の送信先の無線基地局ｅＮＢとを別にするように構成されていてもよい。
【００２３】
また、無線基地局ｅＮＢが、信号の種別毎に、信号の送信先の無線基地局について指定するように構成されていてもよい。
【００２４】
なお、判定部１２は、無線基地局から特定の信号についての当該指定がない場合には、特定の無線基地局ｅＮＢ（例えば、アンカー無線基地局ｅＮＢ）に対して、かかる特定の信号について一律に送信すると判定するように構成されていてもよい。
【００２５】
ここで、アンカー無線基地局ｅＮＢとは、ＣＮ（Ｃｏｒｅ  Ｎｅｔｗｏｒｋ）とのインターフェースが確立されている無線基地局ｅＮＢであってもよいし、ＲＲＣレイヤ機能を保持する無線基地局ｅＮＢであってもよいし、セキュリティ機能を保持する無線基地局ｅＮＢであってもよい。
【００２６】
また、移動局ＵＥは、現在設定されている設定（Ｃｏｎｆｉｇｕｒａｔｉｏｎ）を解放する場合（例えば、再接続手順やハンドオーバ手順）においても、特定の無線基地局ｅＮＢに対して、一律に信号を送信するように構成されていてもよい。
【００２７】
上述の無線基地局ｅＮＢからの指定は、ＲＲＣレイヤやＰＤＣＰPレイヤやＲＬＣレイヤやＭＡＣレイヤや物理レイヤの任意のレイヤの信号で行われるように構成されていてもよい。
【００２８】
さらに、移動局ＵＥから無線基地局ｅＮＢに対して、移動局ＵＥにおいて信号の送信先として設定可能な無線基地局ｅＮＢの数が通知されてもよい。かかる通知は、レイヤごとに行われてもよいし、信号種別ごとに行われてもよい。
【００２９】
例えば、判定部１２は、ユーザデータ信号の送信先の無線基地局ｅＮＢを無線基地局ｅＮＢ＃１１とし、制御信号の送信先の無線基地局ｅＮＢを無線基地局ｅＮＢ＃１とするように構成されていてもよい。
【００３０】
また、判定部１２は、生成部１１によって生成された制御信号の種別に基づいて、かかる制御信号の送信先の無線基地局ｅＮＢを変更するように構成されていてもよい。
【００３１】
ここで、生成部１１のＭＡＣ（Ｍｅｄｉａ  Ａｃｃｅｓｓ  Ｃｏｎｔｒｏｌ）レイヤによって生成されるＭＡＣ-ＰＤＵ（Ｐｒｏｔｏｃｏｌ  Ｄａｔａ  Ｕｎｉｔ）は、ＭＡＣサブヘッダ（ＭＡＣ  ｓｕｂｈｅａｄｅｒ）及びペイロード（ｐａｙｌｏａｄ）によって構成される（３ＧＰＰ  ＴＳ３６.３２１参照）。
【００３２】
図３（ａ）乃至（ｃ）に示すように、ＭＡＣサブヘッダは、後続するペイロードに、ユーザデータ又はＭＡＣ-ＣＥ（Ｃｏｎｔｒｏｌ  Ｅｌｅｍｅｎｔ）が格納されているかについて示すＬＣＩＤ（Ｌｏｇｉｃａｌ  Ｃｈａｎｎｅｌ  ＩＤ）を含む。
【００３３】
したがって、判定部１２は、ＭＡＣサブヘッダ内のＬＣＩＤに基づいて、生成部１１によって生成された信号の種別、例えば、ユーザデータを含むＭＡＣ-ＰＤＵを含むユーザデータ信号或いはＭＡＣ-ＣＥを含むＭＡＣ-ＰＤＵを含む制御信号を判定するように構成されている。
【００３４】
ここで、図３（ｄ）に示すように、ＭＡＣ-ＣＥには、いくつかの種類があり、判定部１２は、ＭＡＣ-ＣＥの種別ごとに、かかるＭＡＣ-ＣＥを含むＭＡＣ-ＰＤＵを含む制御信号の送信先の無線基地局ｅＮＢを変更するように構成されていてもよい。
【００３５】
なお、図３（ｄ）に示すように、「ＬＣＩＤ＝００００１-０１０１０」と規定されているＭＡＣ-ＰＤＵは、ユーザデータを含むように構成されており、「ＬＣＩＤ＝１１００１/１１０１０/１１０１１/１１１００/１１１０１/１１１１０」と規定されているＭＡＣ-ＰＤＵは、ＭＡＣ-ＣＥを含むように構成されている。
【００３６】
また、生成部１１のＲＬＣ（Ｒａｄｉｏ  Ｌｉｎｋ  Ｃｏｎｔｒｏｌ）レイヤによって生成されるＲＬＣ-ＰＤＵは、「ＲＬＣ  ｄａｔａ  ＰＤＵ（図４（ａ）参照）」と「ＲＬＣ  ｃｏｎｔｒｏｌ  ＰＤＵ（図４（ｂ）参照）」とに大別される（３ＧＰＰ  ＴＳ３６.３２２参照）。
【００３７】
図４（ａ）及び図４（ｂ）に示すように、判定部１２は、ＲＬＣ-ＰＤＵの１ビット目のＤ/Ｃフィールドに基づいて、生成部１１によって生成された信号の種別、例えば、「ＲＬＣ  ｄａｔａ  ＰＤＵ」を含むユーザデータ信号或いは「ＲＬＣ  ｃｏｎｔｒｏｌ  ＰＤＵ」を含む制御信号を判定するように構成されている。
【００３８】
ここで、「ＲＬＣ  ｃｏｎｔｒｏｌ  ＰＤＵ」には、いくつかの種類があり、図４（ｂ）に示すように、判定部１２は、ＣＰＴフィールドに基づいて、「ＲＬＣ  ｃｏｎｔｒｏｌ  ＰＤＵ」の種別を判定し、「ＲＬＣ  ｃｏｎｔｒｏｌ  ＰＤＵ」の種別ごとに、かかる「ＲＬＣ  ｃｏｎｔｒｏｌ  ＰＤＵ」を含む制御信号の送信先の無線基地局ｅＮＢを変更するように構成されていてもよい。
【００３９】
また、生成部１１のＰＤＣＰ（Ｐａｃｋｅｔ  Ｄａｔａ  Ｃｏｎｖｅｒｇｅｎｃｅ  Ｐｒｏｔｏｃｏｌ）レイヤによって生成されるＰＤＣＰ-ＰＤＵは、「ＰＤＣＰ  ｄａｔａ  ＰＤＵ（図５（ａ）参照）」と「ＰＤＣＰ  ｃｏｎｔｒｏｌ  ＰＤＵ（図５（ｂ）参照）」とに大別される（３ＧＰＰ  ＴＳ３６.３２３参照）。
【００４０】
図５（ａ）及び図５（ｂ）に示すように、判定部１２は、ＰＤＣＰ-ＰＤＵの１ビット目のＤ/Ｃフィールドに基づいて、生成部１１によって生成された信号の種別、例えば、「ＰＤＣＰ  ｄａｔａ  ＰＤＵ」を含むユーザデータ信号或いは「ＰＤＣＰ  ｃｏｎｔｒｏｌ  ＰＤＵ」を含む制御信号を判定するように構成されている。
【００４１】
ここで、「ＰＤＣＰ  ｃｏｎｔｒｏｌ  ＰＤＵ」には、いくつかの種類があり、図５（ｂ）に示すように、判定部１２は、「ＰＤＵ  Ｔｙｐｅ」フィールドに基づいて、「ＰＤＣＰ  ｃｏｎｔｒｏｌ  ＰＤＵ」の種別を判定し、「ＰＤＣＰ  ｃｏｎｔｒｏｌ  ＰＤＵ」の種別ごとに、かかる「ＰＤＣＰ  ｃｏｎｔｒｏｌ  ＰＤＵ」を含む制御信号の送信先の無線基地局ｅＮＢを変更するように構成されていてもよい。
【００４２】
送信部１３は、判定部１２によって決定された送信先の無線基地局ｅＮＢに対して、生成部１２によって生成された信号（ユーザデータ信号又は制御信号）を送信するように構成されている。
【００４３】
以下、図６を参照して、本実施形態に係る移動通信システムの動作について、具体的には、実施形態に係る移動局ＵＥの動作について説明する。
【００４４】
図６に示すように、ステップＳ１０１において、移動局ＵＥは、送信すべき信号（ユーザデータ信号又は制御信号）を生成する。
【００４５】
ステップＳ１０２において、移動局ＵＥは、かかる信号の種別に基づいて、かかる信号の送信先の無線基地局ｅＮＢを決定する。
【００４６】
ステップＳ１０３において、移動局ＵＥは、かかる決定結果に基づいて、かかる信号を送信する。
【００４７】
（変更例１）
以下、図７を参照して、本発明の変更例１に係る移動通信システムについて、上述の第１の実施形態に係る移動通信システムとの相違点に着目して説明する。
【００４８】
本変更例１に係る移動通信システムでは、「Ｉｎｔｅｒ-ｅＮＢ  ＣＡ」が行われている場合に、上りリンク及び下りリンクにおいて、異なる無線基地局ｅＮＢを介してユーザデータ信号及び下りリンクにおけるユーザデータ信号の送信が行われるように構成されている。
【００４９】
具体的には、本変更例１に係る移動通信システムでは、下りリンクにおいて、無線基地局ｅＮＢ＃１は、移動局ＵＥに対して、ユーザデータ信号を送信するように構成されており、上りリンクにおいて、移動局ＵＥは、無線基地局ｅＮＢ＃１１に対して、ユーザデータ信号を送信するように構成されている。
【００５０】
すなわち、下りリンクでは、移動局ＵＥにおいて受信されることが担保されやすいマクロセルであるセル＃１においてユーザデータ信号を送信するように構成されており、上りリンクでは、移動局ＵＥにおける送信電力が小さくて済みバッテリセービングが可能となるようにスモールセルであるセル＃１１に対してユーザデータ信号を送信するように構成されている。
【００５１】
また、本変更例１に係る移動通信システムにおいて、無線基地局ｅＮＢ＃１及び無線基地局ｅＮＢ＃１１は、それぞれスケジューラを具備しており、上述のユーザデータ信号に対する送達確認信号（ＡＣＫ/ＮＡＣＫ）は、かかるユーザデータ信号の送信先に送信される必要がある。
【００５２】
したがって、本変更例１に係る移動通信システムでは、下りリンクにおけるユーザデータ信号に対する送達確認信号は、移動局ＵＥから無線基地局ｅＮＢ＃１に対して送信されるように構成されており、上りリンクにおけるユーザデータ信号に対する送達確認信号は、無線基地局ｅＮＢ＃１１から移動局ＵＥに対して送信されるように構成されている。
【００５３】
以上に述べた本実施形態の特徴は、以下のように表現されていてもよい。
【００５４】
本実施形態の第１の特徴は、移動局ＵＥであって、送信すべき信号を生成するように構成されている生成部１１と、かかる信号の種別に基づいて、かかる信号の送信先の無線基地局ｅＮＢを変更するように構成されている判定部１２とを具備することを要旨とする。
【００５５】
かかる構成によれば、「Ｉｎｔｅｒ-ｅＮＢ  ＣＡ」が行われている場合に、信号の送信先の無線基地局ｅＮＢを柔軟に変更することによって、通信状況を考慮した適切な運用を実現することができる。
【００５６】
本実施形態の第１の特徴において、判定部１２は、ユーザデータ信号の送信先の無線基地局ｅＮＢと制御信号の送信先の無線基地局ｅＮＢとを別にするように構成されていてもよい。
【００５７】
かかる構成によれば、「Ｉｎｔｅｒ-ｅＮＢ  ＣＡ」が行われている場合に、移動局ＵＥが、ユーザデータ信号をスモールセルであるセル＃１１に送信することによって、移動局ＵＥにおける送信電力を低減してバッテリセービングを実現しつつ、制御信号をマクロセルであるセル＃１に送信することによって、無線基地局ｅＮＢ＃１による制御信号の確実な処理を実現することができる。
【００５８】
本実施形態の第１の特徴において、判定部１２は、制御信号の種別に基づいて、かかる制御信号の送信先の無線基地局ｅＮＢを変更するように構成されていてもよい。
【００５９】
かかる構成によれば、「Ｉｎｔｅｒ-ｅＮＢ  ＣＡ」が行われている場合に、制御信号の種別に基づいて、制御信号の送信先の無線基地局ｅＮＢを変更することによって、より柔軟な通信状況を考慮した適切な運用を実現することができる。
【００６０】
本実施形態の第１の特徴において、判定部１２は、ＭＡＣサブヘッダ内のＬＣＩＤに基づいて、上述の信号の種別を判定するように構成されていてもよい。
【００６１】
かかる構成によれば、既存の仕様を変更することなく、通信状況を考慮した適切な運用を実現することができる。
【００６２】
本実施形態の第１の特徴において、判定部１２は、ＲＬＣ-ＰＤＵの１ビット目のＤ/Ｃフィールドに基づいて、上述の信号の種別を判定するように構成されていてもよい。
【００６３】
かかる構成によれば、既存の仕様を変更することなく、通信状況を考慮した適切な運用を実現することができる。
【００６４】
本実施形態の第１の特徴において、判定部１２は、ＰＤＣＰ-ＰＤＵの１ビット目のＤ/Ｃフィールドに基づいて、上述の信号の種別を判定するように構成されていてもよい。
【００６５】
かかる構成によれば、既存の仕様を変更することなく、通信状況を考慮した適切な運用を実現することができる。
【００６６】
本実施形態の第１の特徴において、判定部１２は、無線基地局ｅＮＢからの指示に応じて、各信号の送信先の無線基地局ｅＮＢを決定するように構成されていてもよい。
【００６７】
本実施形態の第１の特徴において、判定部１２は、特定の信号についての無線基地局ｅＮＢからの指示がない場合、かかる特定の信号の送信先の無線基地局ｅＮＢを特定の無線基地局（アンカー無線基地局ｅＮＢ）と決定するように構成されていてもよい。
【００６８】
本実施形態の第１の特徴において、判定部１２は、現在設定されている設定（Ｃｏｎｆｉｇｕｒａｔｉｏｎ）が解放される場合には、上述の信号の送信先の無線基地局ｅＮＢを特定の無線基地局（アンカー無線基地局ｅＮＢ）と決定するように構成されていてもよい。
【００６９】
本実施形態の第１の特徴において、無線基地局ｅＮＢに対して、移動局ＵＥにおいて信号の送信先の無線基地局ｅＮＢとして設定可能な無線基地局ｅＮＢの数を通知するように構成されている送信部１３を具備してもよい。
【００７０】
本実施形態の第２の特徴は、無線基地局ｅＮＢ＃１（第１無線基地局）及び無線基地局ｅＮＢ＃１１（第２無線基地局）を具備する移動通信システムであって、無線基地局ｅＮＢ＃１は、セル＃１（マクロセル）を管理するように構成されており、無線基地局ｅＮＢ＃１１は、セル＃１１（スモールセル）を管理するように構成されており、下りリンクにおいて、無線基地局ｅＮＢ＃１は、移動局ＵＥに対して、ユーザデータ信号を送信するように構成されており、上りリンクにおいて、移動局ＵＥは、無線基地局ｅＮＢ＃１１に対して、ユーザデータ信号を送信するように構成されており、下りリンクにおけるユーザデータ信号に対する送達確認信号（ＡＣＫ/ＮＡＣＫ）は、移動局ＵＥから無線基地局ｅＮＢ＃１に対して送信されるように構成されており、上りリンクにおけるユーザデータ信号に対する送達確認信号（ＡＣＫ/ＮＡＣＫ）は、無線基地局ｅＮＢ＃１１から移動局ＵＥに対して送信されるように構成されていることを要旨とする。
【００７１】
かかる構成によれば、下りリンクでは、移動局ＵＥにおいて受信されることが担保されやすいマクロセルであるセル＃１においてユーザデータ信号を送信することによって、通信の安全性を図りつつ、上りリンクでは、移動局ＵＥにおける送信電力が小さくしバッテリセービングを実現することができる。
【００７２】
なお、上述の移動局ＵＥや無線基地局ｅＮＢ＃１/ｅＮＢ＃１１の動作は、ハードウェアによって実施されてもよいし、プロセッサによって実行されるソフトウェアモジュールによって実施されてもよいし、両者の組み合わせによって実施されてもよい。
【００７３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１/ｅＮＢ＃１１内に設けられていてもよい。また、かかる記憶媒体及びプロセッサは、ディスクリートコンポーネントとして移動局ＵＥや無線基地局ｅＮＢ＃１/ｅＮＢ＃１１内に設けられていてもよい。
【００７５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７６】
ｅＮＢ＃１、ｅＮＢ＃１１…無線基地局
ＵＥ…移動局
１１…生成部
１２…判定部
１３…送信部
【図１】
2014165732.tif 000003
【図２】
2014165732.tif 000004
【図３】
2014165732.tif 000005
【図４】
2014165732.tif 000006
【図５】
2014165732.tif 000007
【図６】
2014165732.tif 000008
【図７】
2014165732.tif 000009